(57)【要約】【課題】  スロットのモニタリングまたはシステムの再スキャンの選択的な遂行が可能である携帯端末機の再スキャン装置及び方法を提供する。【解決手段】  周期的に再スキャンを遂行する携帯端末機であって、携帯端末機の特定スロットのモニタリングに必要な時間と、前記端末機のスキャンリストに記録されたシステムの再スキャンに必要な時間に応じて、選択的にシステムの再スキャンを遂行するか、それとも、本来のシステムに復帰してモニタリングを遂行することを特徴とする携帯端末機の再スキャン方法。【選択図】  図１
2005094772.tif 000002
【特許請求の範囲】
【請求項１】
周期的に再スキャンを遂行する携帯端末機であって、
携帯端末機の特定スロットのモニタリングに必要な時間と、前記端末機のスキャンリストに記録されたシステムの再スキャンに必要な時間に応じて、選択的にシステムの再スキャンを遂行するか、それとも、本来のシステムに復帰してモニタリングを遂行することを特徴とする携帯端末機の再スキャン方法。
【請求項２】
前記携帯端末機の特定スロットのモニタリングに必要な時間が前記端末機のスキャンリストに記録されたシステムの再スキャンに必要な時間より長いか、同一である場合、携帯端末機がシステムの再スキャンを遂行することを特徴とする請求項１に記載の携帯端末機の再スキャン方法。
【請求項３】
前記携帯端末機の特定スロットのモニタリングに必要な時間が前記端末機のスキャンリストに記録されたシステムの再スキャンに必要な時間より短い場合、携帯端末機が本来のシステムに復帰してモニタリングを遂行することを特徴とする請求項１に記載の携帯端末機の再スキャン方法。
【請求項４】
前記携帯端末機は、スロットモードで動作することを特徴とする請求項１に記載の携帯端末機の再スキャン方法。
【請求項５】
周期的に再スキャンを遂行するスロットモード携帯端末機であって、
携帯端末機の特定スロットのモニタリングに必要な時間Ｔａ、及び前記端末機のスキャンリストに記録されたシステムの再スキャンに必要な時間Ｔｂを算出する過程と、
前記算出されたＴａとＴｂの大きさを比較する過程と、
前記比較結果により、選択的にシステムの再スキャンを遂行するか、それとも、本来のシステムに復帰してモニタリングを遂行する過程と、
から構成されることを特徴とする携帯端末機の再スキャン方法。
【請求項６】
前記Ｔａは、端末機がモニタリングすべきスロットから現在スロットを引いた時間であることを特徴とする請求項５に記載の携帯端末機の再スキャン方法。
【請求項７】
前記Ｔｂは、端末機が以前システムに復帰するためにかかる時間と次のシステムをスキャンするためにかかる時間とを合せた時間であることを特徴とする請求項５に記載の携帯端末機の再スキャン方法。
【請求項８】
前記比較結果、ＴａがＴｂより大きいか、同一である場合、前記システムの再スキャンを遂行することを特徴とする請求項５に記載の携帯端末機の再スキャン方法。
【請求項９】
前記比較結果、ＴａがＴｂより小さい場合、本来のシステムに復帰してモニタリングを遂行することを特徴とする請求項５に記載の携帯端末機の再スキャン方法。
【請求項１０】
周期的に再スキャンを遂行する携帯端末機であって、
携帯端末機の特定スロットのモニタリングに必要な時間及び前記端末機のスキャンリストに記録されたシステムの再スキャンに必要な時間に応じて、選択的にシステムの再スキャンを遂行するか、それとも、本来のシステムに復帰してモニタリングを遂行することを特徴とする携帯端末機の再スキャン装置。
【請求項１１】
前記携帯端末機は、スロットモードで動作することを特徴とする請求項１０に記載の携帯端末機の再スキャン装置。
【請求項１２】
前記携帯端末機の特定スロットのモニタリングに必要な時間及び前記端末機のスキャンリストに記録されたシステムの再スキャンに必要な時間は、算出部によって算出されることを特徴とする請求項１０に記載の携帯端末機の再スキャン装置。
【請求項１３】
前記携帯端末機の特定スロットのモニタリングに必要な時間は、端末機がモニタリングすべきスロットから現在スロットを引いた時間であることを特徴とする請求項１０に記載の携帯端末機の再スキャン装置。
【請求項１４】
前記端末機のスキャンリストに記録されたシステムの再スキャンに必要な時間は、端末機が以前システムに復帰するためにかかる時間と次のシステムをスキャンするためにかかる時間とを合せた時間であることを特徴とする請求項１０に記載の携帯端末機の再スキャン装置。
【請求項１５】
前記システムの再スキャン及びモニタリングは、制御部が選択的に遂行することを特徴とする請求項１０に記載の携帯端末機の再スキャン装置。
【請求項１６】
前記制御部は、前記算出部によって算出された携帯端末機の特定スロットのモニタリングに必要な時間と前記端末機のスキャンリストに記録されたシステムの再スキャンに必要な時間が比較部によって比較されると、その比較結果を受けて再スキャニング部またはモニタリング部に制御信号を出力することを特徴とする請求項１５に記載の携帯端末機の再スキャン装置。
【請求項１７】
前記制御部は、比較部の比較結果から、前記算出部によって算出された携帯端末機の特定スロットのモニタリングに必要な時間が前記端末機のスキャンリストに記録されたシステムの再スキャンに必要な時間より長いか、同一である場合、再スキャニング部に制御信号を出力することを特徴とする請求項１６に記載の携帯端末機の再スキャン装置。
【請求項１８】
前記再スキャニング部は、前記制御部から制御信号を受信してシステムの再スキャンを遂行することを特徴とする請求項１７に記載の携帯端末機の再スキャン装置。
【請求項１９】
前記制御部は、比較部の比較結果から、前記算出部によって算出された携帯端末機の特定スロットのモニタリングに必要な時間が前記端末機のスキャンリストに記録されたシステムの再スキャンに必要な時間より短い場合、前記モニタリング部に制御信号を出力することを特徴とする請求項１６に記載の携帯端末機の再スキャン装置。
【請求項２０】
前記モニタリング部は、前記制御部から制御信号を受信して本来のシステムに復帰してモニタリングを遂行することを特徴とする請求項１９に記載の携帯端末機の再スキャン装置。
【請求項２１】
スロットモードで動作する携帯端末機の特定スロットのモニタリングに必要な時間Ｔａ、及び前記端末機のスキャンリストに記録されたシステムの再スキャンに必要な時間Ｔｂを算出する算出部と、
前記算出部から出力されるＴａとＴｂとの大きさを比較し、比較した結果を出力する比較部と、
前記比較部の比較結果に応じて、再スキャニング部またはモニタリング部に制御  信号を出力する制御部と、
前記制御部から制御信号を受信して前記システムの再スキャンを遂行する再スキャニング部と、
前記制御部から制御信号を受信して本来のシステムに復帰してモニタリングを遂行するモニタリング部と、
から構成されることを特徴とする携帯端末機の再スキャン装置。
【請求項２２】
前記制御部は、比較部から比較結果を受信し、ＴａがＴｂより大きいか、同一である場合、再スキャニング部に制御信号を出力することを特徴とする請求項２１に記載の携帯端末機の再スキャン装置。
【請求項２３】
前記制御部は、比較部から比較結果を受信し、ＴａがＴｂより小さい場合、モニタリング部に制御信号を出力することを特徴とする請求項２１に記載の携帯端末機の再スキャン装置。
【請求項２４】
前記Ｔａは、端末機がモニタリングすべきスロットから現在スロットを引いた時間であることを特徴とする請求項２１に記載の携帯端末機の再スキャン装置。
【請求項２５】
前記Ｔｂは、端末機が以前システムに復帰するためにかかる時間と次のシステムをスキャンするためにかかる時間とを合せた時間であることを特徴とする請求項２１に記載の携帯端末機の再スキャン装置。
【発明の詳細な説明】
【技術分野】
【０００１】
本発明は、携帯端末機に関し、特に、再スキャン中にも特定スロットをモニタリングすることのできる携帯端末機の再スキャン装置及び方法に関する。
【背景技術】
【０００２】
一般的に、再スキャンは、端末機が現在地域内で最高の優先順位を有するシステムを探索して獲得（ｏｂｔａｉｎ）する過程である。前記再スキャンは、一定の周期を有して遂行され、該当地域内で最高の優先順位を有するシステムを発見する時まで繰り返される。再スキャンの周期は、移動通信事業者によって異なるが、普段１分ないし３分位である。
【０００３】
図５は、一般的な携帯端末機の再スキャンアルゴリズムの実現過程を示すフローチャートである。
【０００４】
図５に示すように、待機状態の端末機は、現在獲得しているシステムより高い優先順位を有するシステムが存在するか否かの周期的な再スキャンを開始する（Ｓ１０）。
【０００５】
再スキャンが開始すると、端末機は、現在のシステムが該当地域内で最優先順位を有するシステムであるか否かを判断し（Ｓ２０）、判断結果、最優先順位でない場合は、スキャンリストにスキャンするシステムが残っているか否かを判断する（Ｓ３０）。
【０００６】
判断結果、スキャンリストにスキャンするシステムが残っている場合は、次のシステムを再スキャンする（Ｓ４０）。再スキャンが完了すると、端末機は、新しいシステムが発見されたか否かを確認し（Ｓ５０）、新しいシステムが発見された場合は、その発見された新しいシステムの優先順位が現在システムの優先順位より高いか否かを判断する（Ｓ６０）。
【０００７】
判断結果、新しく発見されたシステムが現在システムより優先順位が高い場合、端末機は、そのシステムを獲得し（Ｓ７０）、再スキャン過程を終了する（Ｓ８０）。
【０００８】
前述したように、既存の再スキャンアルゴリズムは、周期的により高い優先順位を有するシステムに更新することにより、呼受信率の減少及びそれに伴う電力消耗を防止しようとした。
【０００９】
しかしながら、従来の再スキャンアルゴリズムにおいて、再スキャン過程で探索するシステムが多い場合は、探索にかかる時間がスロットサイクルの長さより長くなる。この場合、端末機と現在獲得していたシステムとの同期が絶えるので、端末機は、ページングを受信することができず、通話連結またはメッセージ受信などの遂行が不可能になるという問題点がある。
【発明の開示】
【発明が解決しようとする課題】
【００１０】
本発明は、前述したような問題点を解決するために提案され、本発明の目的は、スロットのモニタリングまたはシステムの再スキャンの選択的な遂行が可能である携帯端末機の再スキャン装置及び方法を提供することにある。
【課題を解決するための手段】
【００１１】
前述したような目的を達成するために本発明による携帯端末機の再スキャン装置は、携帯端末機の特定スロットのモニタリングに必要な時間Ｔａ、及び前記端末機のスキャンリストに記録されたシステムの再スキャンに必要な時間Ｔｂを算出する算出部と、前記算出部から出力されるＴａとＴｂとの大きさを比較し、比較した結果を出力する比較部と、前記比較部の比較結果により、再スキャニング部またはモニタリング部に制御信号を出力する制御部と、前記制御部から制御信号を受信して前記システムの再スキャンを遂行する再スキャニング部と、前記制御部から制御信号を受信し、以前のシステムに復帰してモニタリングを遂行するモニタリング部と、から構成される。
【００１２】
前述したような目的を達成するために本発明による携帯端末機の再スキャン方法は、携帯端末機の特定スロットのモニタリングに必要な時間Ｔａ、及び前記端末機のスキャンリストに記録されたシステムの再スキャンに必要な時間Ｔｂを算出する過程と、前記算出されたＴａとＴｂとの大きさを比較する過程と、前記比較結果、ＴａがＴｂより大きいか、同一である場合は、前記システムの再スキャンを遂行し、ＴａがＴｂより小さい場合は、以前のシステムに復帰してモニタリングを遂行する過程と、からなる。
【００１３】
望ましく、前記制御部は、比較部から比較結果を受信し、ＴａがＴｂより大きいか、同一である場合は、再スキャニングに制御信号を出力し、ＴａがＴｂより小さい場合は、モニタリング部に制御信号を出力することを特徴とする。
【００１４】
望ましく、前記携帯端末機の特定スロットのモニタリングに必要な時間Ｔａは、端末機がモニタリングすべきスロットから現在スロットを引いた時間であることを特徴とする。
【００１５】
望ましく、前記端末機のスキャンリストに記録されたシステムの再スキャンに必要な時間Ｔｂは、端末機が以前のシステムに復帰するためにかかる時間と次のシステムをスキャンするためにかかる時間とを合せた時間であることを特徴とする。
【００１６】
本発明は、１つの局面において、周期的に再スキャンを遂行する携帯端末機であって、
携帯端末機の特定スロットのモニタリングに必要な時間と、上記端末機のスキャンリストに記録されたシステムの再スキャンに必要な時間に応じて、選択的にシステムの再スキャンを遂行するか、それとも、本来のシステムに復帰してモニタリングを遂行することを特徴とする携帯端末機の再スキャン方法を提供する。
【００１７】
１つの実施形態において、上記方法は、上記携帯端末機の特定スロットのモニタリングに必要な時間が上記端末機のスキャンリストに記録されたシステムの再スキャンに必要な時間より長いか、同一である場合、携帯端末機がシステムの再スキャンを遂行することを特徴とする。
【００１８】
別の実施形態において、上記方法は、上記携帯端末機の特定スロットのモニタリングに必要な時間が上記端末機のスキャンリストに記録されたシステムの再スキャンに必要な時間より短い場合、携帯端末機が本来のシステムに復帰してモニタリングを遂行することを特徴とする。
【００１９】
別の実施形態において、上記方法は、上記携帯端末機が、スロットモードで動作することを特徴とする。
【００２０】
本発明は、別の局面において、周期的に再スキャンを遂行するスロットモード携帯端末機であって、
携帯端末機の特定スロットのモニタリングに必要な時間Ｔａ、及び上記端末機のスキャンリストに記録されたシステムの再スキャンに必要な時間Ｔｂを算出する過程と、
上記算出されたＴａとＴｂの大きさを比較する過程と、
上記比較結果により、選択的にシステムの再スキャンを遂行するか、それとも、本来のシステムに復帰してモニタリングを遂行する過程と、
から構成されることを特徴とする携帯端末機の再スキャン方法を提供する。
【００２１】
１つの実施形態において、上記方法は、上記Ｔａが、端末機がモニタリングすべきスロットから現在スロットを引いた時間であることを特徴とする。
【００２２】
別の実施形態において、上記方法は、上記Ｔｂが、端末機が以前システムに復帰するためにかかる時間と次のシステムをスキャンするためにかかる時間とを合せた時間であることを特徴とする。
【００２３】
別の実施形態において、上記方法は、上記比較結果、ＴａがＴｂより大きいか、同一である場合、上記システムの再スキャンを遂行することを特徴とする。
【００２４】
別の実施形態において、上記方法は、上記比較結果、ＴａがＴｂより小さい場合、本来のシステムに復帰してモニタリングを遂行することを特徴とする。
【００２５】
本発明は、別の局面において、周期的に再スキャンを遂行する携帯端末機であって、
携帯端末機の特定スロットのモニタリングに必要な時間及び上記端末機のスキャンリストに記録されたシステムの再スキャンに必要な時間に応じて、選択的にシステムの再スキャンを遂行するか、それとも、本来のシステムに復帰してモニタリングを遂行することを特徴とする携帯端末機の再スキャン装置を提供する。
【００２６】
１つの実施形態において、上記装置は、上記携帯端末機が、スロットモードで動作することを特徴とする。
【００２７】
別の実施形態において、上記装置は、上記携帯端末機の特定スロットのモニタリングに必要な時間及び上記端末機のスキャンリストに記録されたシステムの再スキャンに必要な時間は、算出部によって算出されることを特徴とする。
【００２８】
別の実施形態において、上記装置は、上記携帯端末機の特定スロットのモニタリングに必要な時間は、端末機がモニタリングすべきスロットから現在スロットを引いた時間であることを特徴とする。
【００２９】
別の実施形態において、上記装置は、上記端末機のスキャンリストに記録されたシステムの再スキャンに必要な時間は、端末機が以前システムに復帰するためにかかる時間と次のシステムをスキャンするためにかかる時間とを合せた時間であることを特徴とする。
【００３０】
別の実施形態において、上記装置は、上記システムの再スキャン及びモニタリングは、制御部が選択的に遂行することを特徴とする。
【００３１】
好ましい実施形態において、上記装置は、上記制御部は、上記算出部によって算出された携帯端末機の特定スロットのモニタリングに必要な時間と上記端末機のスキャンリストに記録されたシステムの再スキャンに必要な時間が比較部によって比較されると、その比較結果を受けて再スキャニング部またはモニタリング部に制御信号を出力することを特徴とする。
【００３２】
さらに好ましい実施形態において、上記装置は、上記制御部が、比較部の比較結果から、上記算出部によって算出された携帯端末機の特定スロットのモニタリングに必要な時間が上記端末機のスキャンリストに記録されたシステムの再スキャンに必要な時間より長いか、同一である場合、再スキャニング部に制御信号を出力することを特徴とする。
【００３３】
なおさらに好ましい実施形態において、上記装置は、再スキャニング部が、上記制御部から制御信号を受信してシステムの再スキャンを遂行することを特徴とする。
【００３４】
別の好ましい実施形態において、上記装置は、上記制御部が、比較部の比較結果から、上記算出部によって算出された携帯端末機の特定スロットのモニタリングに必要な時間が上記端末機のスキャンリストに記録されたシステムの再スキャンに必要な時間より短い場合、上記モニタリング部に制御信号を出力することを特徴とする。
【００３５】
さらに好ましい実施形態において、上記装置は、上記モニタリング部が、上記制御部から制御信号を受信して本来のシステムに復帰してモニタリングを遂行することを特徴とする。
【００３６】
本発明は、別の局面において、スロットモードで動作する携帯端末機の特定スロットのモニタリングに必要な時間Ｔａ、及び上記端末機のスキャンリストに記録されたシステムの再スキャンに必要な時間Ｔｂを算出する算出部と、
上記算出部から出力されるＴａとＴｂとの大きさを比較し、比較した結果を出力する比較部と、
上記比較部の比較結果に応じて、再スキャニング部またはモニタリング部に制御  信号を出力する制御部と、
上記制御部から制御信号を受信して上記システムの再スキャンを遂行する再スキャニング部と、
上記制御部から制御信号を受信して本来のシステムに復帰してモニタリングを遂行するモニタリング部と、
から構成されることを特徴とする携帯端末機の再スキャン装置を提供する。
【００３７】
１つの実施形態において、上記装置は、上記制御部が、比較部から比較結果を受信し、ＴａがＴｂより大きいか、同一である場合、再スキャニング部に制御信号を出力することを特徴とする。
【００３８】
別の実施形態において、上記装置は、上記制御部が、比較部から比較結果を受信し、ＴａがＴｂより小さい場合、モニタリング部に制御信号を出力することを特徴とする。
【００３９】
別の実施形態において、上記装置は、上記Ｔａが、端末機がモニタリングすべきスロットから現在スロットを引いた時間であることを特徴とする。
【００４０】
別の実施形態において、上記装置は、上記Ｔｂが、端末機が以前システムに復帰するためにかかる時間と次のシステムをスキャンするためにかかる時間とを合せた時間であることを特徴とする。
【発明の効果】
【００４１】
本発明による携帯端末機の再スキャン装置及び方法は、携帯端末機が周期的な再スキャンを遂行する過程中にも特定スロットに対するモニタリングを可能にすることによって、携帯端末機が再スキャニング中にページングを受信することのできない問題点を防止してサービスの信頼度を高めるという効果がある。
【００４２】
また、本発明による携帯端末機の再スキャン装置及び方法は、携帯端末機が再スキャンを遂行する過程中にも、呼受信が不可能になるか、メッセージ受信が遅延されることを防止することによって、使用者の不便をなくすソフトハンドオーバーを具現するという効果がある。
【発明を実施するための最良の形態】
【００４３】
以下、図面を参照して本発明の望ましい実施形態を説明する。
【００４４】
図１は、本発明による携帯端末機の再スキャン装置及び周辺システムの構成を示す図である。
【００４５】
図１に示すように、本発明による携帯端末機１００の再スキャン装置１０は、携帯端末機１００の特定スロットのモニタリングに必要な時間Ｔａ、及び前記携帯端末機１００のスキャンリストに記録されたシステム２００−１、２００−２、２００−３の再スキャンに必要な時間Ｔｂを算出する算出部（Ｃａｌｃｕｌａｔｉｎｇ  Ｕｎｉｔ）１１と、前記算出部から出力されるＴａとＴｂとの大きさを比較し、比較した結果を出力する比較部（Ｃｏｍｐａｒｉｎｇ  Ｕｎｉｔ）１２と、前記比較部の比較結果によって、再スキャニング部（Ｒｅｓｃａｎｎｉｎｇ  Ｕｎｉｔ）１４またはモニタリング部（Ｍｏｎｉｔｏｒｉｎｇ  Ｕｎｉｔ）１５に制御信号を出力する制御部（Ｃｏｎｔｒｏｌｌｉｎｇ  Ｕｎｉｔ）１３と、前記制御部１３から制御信号を受信して前記システム２００−１、２００−２、２００−３の再スキャンを遂行する再スキャニング部１４と、前記制御部１３から制御信号を受信し、以前のシステムに復帰してモニタリングを遂行するモニタリング部１５と、から構成される。
【００４６】
前記算出部１１は、予め保存された計算式及びアルゴリズムによって前記Ｔａ及びＴｂを算出する。
【００４７】
前記携帯端末機１００の特定スロットのモニタリングに必要な時間Ｔａは、携帯端末機１００がモニタリングすべきスロットから現在スロットを引いた時間であり、前記携帯端末機１００のスキャンリストに記録されたシステム２００−１、２００−２、２００−３の再スキャンに必要な時間Ｔｂは、携帯端末機１００が移転システムに復帰するためにかかる時間と次のシステムをスキャンするためにかかる時間とを合せた時間である。
【００４８】
前記制御部１３は、比較部１２から比較結果を受信し、ＴａがＴｂより大きいか、同一である場合は、再スキャニング部１４に制御信号を出力し、ＴａがＴｂより小さい場合は、モニタリング部１５に制御信号を出力する。
【００４９】
本発明による再スキャン装置１０を含む携帯端末機１００は、スロットモードで動作し、該当地域の多数の基地局システム２００−１、２００−２、２００−３に対する再スキャン過程中にもメッセージの受信などが可能になるように前記Ｔａ及びＴｂを算出する。
【００５０】
図２は、スロットモードの携帯端末機がモニタリングするページスロットの構造を示す図であり、図３は、本発明の一実施形態に係る端末機のスキャンリストを示す図である。
【００５１】
前記スロットモード状態の携帯端末機は、モニタリングすべきスロットをＩＭＳＩ（Ｉｎｔｅｒｎａｔｉｏｎａｌ  Ｍｏｂｉｌｅ  Ｓｔａｔｉｏｎ  Ｉｄｅｎｔｉｔｙ）を利用して求め、該当スロットのみをモニタリングし、残りの時間の間には電力消費を防止するために節電モードなどで動作する。
【００５２】
図２及び図３を参照すると、本発明の一実施形態によってスロットサイクルインデックスが２である場合、端末機が以前のシステムに復帰するためにかかる時間、つまり、他のチャンネルをチューニングするためにかかる最大時間は、８０ｍｓで、１スロット時間と同一である。また、端末機が次のシステムをスキャンするためにかかる時間、つまり、チャンネルをスキャンするためにかかる最大時間は８００ｍｓである。
【００５３】
この場合、現在時間ｔ１におけるページスロットが１１、端末機が再スキャンするシステムがＰＣＳ（Ｐｅｒｓｏｎａｌ  Ｃｏｍｍｕｎｉｃａｔｉｏｎ  Ｓｙｓｔｅｍ）２５であり、ｔ２におけるページスロットが３１、端末機が再スキャンするシステムがＰＣＳ７５であり、端末機がモニタリングするページスロットが３３である場合を例にすると、ｔ１及びｔ２における特定スロット（スロット３３）をモニタリングするための必要な時間Ｔａ及びシステムの再スキャンに必要な時間Ｔｂは、以下の表のようである。
【００５４】
【表１】
2005094772.tif 000003
【００５５】
前記表に示すように、ｔ１ではＴａが１７６０であり、Ｔｂ  が８８０であるので、ＴａがＴｂより大きい。この場合、端末機のスキャンリストに記録されたシステムの再スキャンに必要な時間が特定スロットのモニタリングに必要な時間より小さいので、本発明による再スキャン装置及び方法が具現される携帯端末機は再スキャンを遂行する。
【００５６】
しかしながら、ｔ２では、Ｔａが１６０であり、Ｔｂが８８０であるので、ＴａがＴｂより小さい。この場合は、携帯端末機が特定スロットをモニタリングするためにに必要な時間が端末機のスキャンリストに記録されたシステムの再スキャンに必要な時間より小さいので、本発明による再スキャン装置及び方法が具現される携帯端末機はモニタリングを遂行する。その詳細な過程は図４を参考して説明する。
【００５７】
図４は、本発明による携帯端末機の再スキャン方法の実現過程を示すフローチャートである。
【００５８】
図４を参照すると、まず、携帯端末機がスリープモード（ｓｌｅｅｐ  ｍｏｄｅ）から覚めて最優先順位のシステムを獲得するために、スキャンリストにあるシステムに対する周期的な再スキャンを開始する（Ｓ１００）。前記携帯端末機は、現在獲得しているシステムが該当地域で最優先順位を有するか否かを判断する（Ｓ１１０）。
【００５９】
前記判断結果、携帯端末機が獲得しているシステムが該当地域で最優先順位である場合、既存システムを維持して再スキャン過程を終了する（Ｓ２００）。
【００６０】
しかしながら、前記判断結果、携帯端末機が獲得しているシステムが該当地域で  最優先順位を有しない場合は、スキャンリストに再スキャンするシステムが残っているか否かを確認する（Ｓ１２０）。
【００６１】
前記確認結果、再スキャンするシステムが残っていない場合、既存のシステムを維持して再スキャン過程を終了する（Ｓ２００）。
【００６２】
しかしながら、前記確認結果、スキャンリストに再スキャンするシステムが残っている場合、携帯端末機は、特定スロットのモニタリングに必要な時間Ｔａ、及び前記携帯端末機のスキャンリストに記録されたシステムの再スキャンに必要な時間Ｔｂを算出する（Ｓ１３０）。
【００６３】
Ｔａ及びＴｂが算出された後、携帯端末機は、ＴａがＴｂより大きいか、それとも、同一であるかを確認することにより、前記算出されたＴａとＴｂとの大きさを比較する（Ｓ１４０）。
【００６４】
前記比較結果、ＴａがＴｂより小さい場合、携帯端末機は、以前のシステムに復帰してモニタリングを遂行する（Ｓ２１０）。特定スロットをモニタリングするとき、新しく受信されたメッセージがあるか否かを確認し（Ｓ２２０）、新しく受信されたメッセージがある場合は、受信されたメッセージを処理する（Ｓ２３０）。新しく受信されたメッセージがない場合は、次のシステムを再スキャンする（Ｓ１５０）。
【００６５】
反対に、前記比較結果、ＴａがＴｂより大きいか、同一である場合、携帯端末機は、スキャンリストにある他のシステムの再スキャンを遂行する（Ｓ１５０）。再スキャンが完了すると、他のシステムが発見されたか否かを確認し（Ｓ１６０）、他のシステムが発見されてない場合は、携帯端末機は最初の段階（Ｓ１００）に戻り、その以後の過程を遂行する。
【００６６】
他のシステムが発見されると、発見されたシステムが現在獲得しているシステムより優先順位が高いか否かを判断する（Ｓ１７０）。優先順位が低い場合、端末機は最初の段階（Ｓ１００）に戻り、その以後の過程を再び遂行し、優先順位がより高い場合は、該当システムを獲得する（Ｓ１８０）。システム獲得が完了すると、携帯端末機は、獲得されたシステムが該当地域内で最優先順位を有するか否かを確認する（Ｓ１９０）。確認結果、獲得されたシステムが該当地域内で最優先順位を有する場合は、再スキャン過程を終了する（Ｓ２００）。
【００６７】
しかしながら、獲得されたシステムが該当地域内で最優先順位有しない場合、携帯端末機は、最初の段階（Ｓ１００）に戻り、最優先順位のシステムを獲得する時まで以後の過程を繰り返す。
【００６８】
また、最優先順位のシステムを獲得しても、携帯端末機は、周期的に再スキャンを遂行して時間や移動地域による最優先順位のシステムをスキャンして獲得する。
【００６９】
（要約）
携帯端末機の再スキャン装置は、携帯端末機の特定スロットのモニタリングに必要な時間Ｔａ、及び前記端末機のスキャンリストに記録されたシステムの再スキャンに必要な時間Ｔｂを算出する算出部１１前記算出部から出力されるＴａとＴｂとの大きさを比較し、比較した結果を出力する比較部１２と、前記比較部の比較結果により、再スキャニング部１４またはモニタリング部１５に制御信号を出力する制御部１３と、前記制御部１３から制御信号を受信して前記システムの再スキャンを遂行する再スキャニング部１４と、前記制御部１３から制御信号を受信し、以前のシステムに復帰してモニタリングを遂行するモニタリング部１５と、から構成される。
【図面の簡単な説明】
【００７０】
【図１】本発明による携帯端末機の再スキャン装置及び周辺システムの構成を示す図である。
【図２】スロットモードの携帯端末機がモニタリングするページスロットの構造を示す図である。
【図３】本発明の一実施形態による端末機のスキャンリストを示す図である。
【図４】本発明による携帯端末機の再スキャン方法の実現過程を示すフローチャートである。
【図５】従来の携帯端末機の再スキャンアルゴリズムの実現過程を示すフローチャートである。
【符号の説明】
【００７１】
１０  再スキャン装置
１１  算出部
１２  比較部  
１３  制御部
１４  再スキャニング部
１５  モニタリング部
１００  携帯端末機
２００−１  基地局システム
２００−２  基地局システム
２００−３  基地局システム
【図１】
2005094772.tif 000004
【図２】
2005094772.tif 000005
【図３】
2005094772.tif 000006
【図４】
2005094772.tif 000007
【図５】
2005094772.tif 000008